(57)【要約】【課題】リング状の転車を用いて転車間の広狭調節がし易く、回転をし易くして株際の除草効率を上げる株際除草具を提供しようとするものである。【解決手段】転車１６の輪体が小径棒のリング体２０と、リング体２０の円周上の均等分割点でそれぞれ所要間隔で対設される羽根板２１とから成る。また、転車１６を取り付ける取付け枠は、頂部中央に支持棒２を接合した正面視帽子形状の支持枠１と、支持枠１の左右の各ツバ部３の回動支点４で固定される支持金５と、各支持金５の折曲下部で相対向する内側方向に傾斜して折曲形成される傾斜座部１４とから成る。そして、各転車１６を支持する縦軸１７が傾斜座部１４に軸挿通孔１５を介して接合される。【選択図】  図１
2004242529.tif 000002
【特許請求の範囲】
【請求項１】
縦軸を回動自在に軸支した軸受体に放射状に屈曲アームを接合し、該屈曲アームの下端に輪体を接合してなる転車を、前記縦軸を介して取付け枠に併列に接合して成る株際除草具において、
転車の輪体が、小径棒のリング体と、該リング体の円周上の均等分割点でそれぞれ所要間隔で対設される羽根板とから成り、
取付け枠が、頂部中央に支持棒を接合した支持枠と、該支持枠の左右の各ツバ部の回動支点で固定される支持金と、各支持金の折曲下部で相対向する内側方向に傾斜して折曲形成される傾斜座部とから成り、
前記縦軸が該傾斜座部に設けた軸挿通孔で接合されて成る株際除草具。
【発明の詳細な説明】
【０００１】
【発明の属する技術分野】
本発明は、農作物主として水稲の株際に生育する雑草を除去して泥土中に埋没させる除草具に関する。
【０００２】
【従来の技術】
人力による押進で水稲の株際の除草及び排土をする中耕除草技術に於いて、特公昭３５−１１５６５号公報に開示された株際除草機は、左右に併設する除草輪ａを相互に内方に傾斜させて稲株に圧接しつつ旋回運動させながら雑草を泥土中に埋没させるものであるが、除草輪ａの輪体１０の背丈が高いので、一定押進力に対して泥土との摩擦抵抗のみが大きく回転分力が小さいものとなって、それだけ除草作業がきつく除草効果も低かった。さらに、輪体相互間は稲株に接触する抵抗でバネ８に抗して拡開されるものであるから稲株を傷めるものであった。
また、前記輪体１０に相当する回転枠部の相互間の間隔を調節できる除草技術に特公昭３３−２８０４号公報の開示されるものがあるが、これは、Ｌ字状取付板１６の遊嵌溝１７においてなされるものであるから、調節度合いの位置決めが面倒であった。
【０００３】
【発明が解決しようとする課題】
以上のような古くからの中耕除草技術の欠陥に鑑みて、本発明は、転車間の広狭調節がし易く、しかも、転車の回転をし易くして株際の中耕除草効率を上げることのできる株際除草具の提供をその目的とするものである。
【０００４】
【課題を解決するための手段】
本発明の株際除草具は、縦軸を回動自在に軸支した軸受体に放射状に屈曲アームを接合し、該屈曲アームの下端に輪体を接合してなる転車を、前記縦軸を介して取付け枠に併列に接合して成る株際除草具において、
転車の輪体が、小径棒のリング体と、該リング体の円周上の均等分割点でそれぞれ所要間隔で対設される羽根板とから成り、
取付け枠が、頂部中央に支持棒を接合した正面視帽子形状の支持枠と、該支持枠の左右の各ツバ部の回動支点で固定される支持金と、各支持金の折曲下部で相対向する内側方向に傾斜して折曲形成される傾斜座部とから成り、
前記縦軸が該傾斜座部に設けた軸挿通孔（前記回動支点に対する偏心点）に接合されて成る。
【０００５】
【発明の実施の形態】
転車の輪体における羽根板は、一対間で外方ヘ向けて所要角度に末広がり状でそれぞれリング体に対する取付け角度は異なり、また、正面視帽子形状の支持枠の各ツバ部における回動支点は位相を等しくした１個のものから複数個設けることもある。
【０００６】
【実施例】
本発明の株際除草具Ａを実施例により説明すると、図１に示すように、帽子形状の支持枠１はその頂面中央には長尺の支持棒２を後方へ向けて接合し、左右両側の下端には図３に示すように、ツバ部３を前方へ向けて接合し、ツバ部３の前後に回動支点４を設け、前方の回動支点４にはそれぞれ図４に示す支持金５が次記により取付けている。支持金５の水平部６に貫設されたボルト孔７の裏面に六角ナットによるネジ座８が溶着され、ツバ部３の回動支点４に貫通されたボルト孔９にバネ座金１０などの緩み止め手段を介してボルト１１を挿通し、支持金５の水平部６のネジ座８にボルト１１を螺着して両者は締結される。ボルト１１を緩めると支持金５は回動支点４を中心にその姿勢を変向できる。
支持金５は水平部６の端部から垂下した脚１２の下端に外側（左側）へ向けて傾斜座部１４を、水平部６に対し降下角θ（本実施例では約１５°）の折り曲げ線１３で前方へ折曲して設け、傾斜座部１４に回動支点４のボルト孔９に対する偏心点としての軸挿通孔１５を貫設して成っている。
一方、転車１６は図１、図２に示すように、縦軸１７を回動自在に軸支した軸受体１８に放射状に４本の屈曲アーム１９を接合し、屈曲アーム１９の下端に小径棒のリング体２０を接合し、リング体２０の円周上には各屈曲アーム１９を挟んで一対で外方ヘ向けて末広がり状に接合された羽根板２１を設けて成っている。
屈曲アーム１９とリング体２０とは屈曲アーム１９の下端がリング２０の外周よりはみ出さず、屈曲アーム１９がリング体２０に約７０°で固着させている。さらに、羽根板２１の前端もリング体２０の外周よりはみ出さず、屈曲アーム１９を挟む羽根板２１は４５°の開きが望ましい。上記により稲株に屈曲アーム１９と羽根板２１の接触をさけることができる。
このようにして成る転車１６は、前記支持金５の傾斜座部１４の軸挿通孔１５に縦軸１７が挿通され、傾斜座部１４を挟んで縦軸１７にバネ座金などの緩み止め手段を介して螺着されたナット２２により支持金５に締結接合される。したがって、両転車１６は対向する内方側（稲株側）を低くして泥土中に没し、外方側を高くして空中に出た状態となる。
【０００７】
この状態で両転車１６の内方側の間隔を稲株の状態によって調節するときは、転車１６の縦軸１７は支持金５の偏心点（軸挿通孔１５）で軸支されるから、ツバ部３のボルト１１を緩めて支持金５を回転すれば、縦軸１７は回動支点４から偏心点までを回転半径とする円周上の軌跡を移動する。それを図２で示す左側の転車１６で説明すると、矢印イの方向へ回転すれば前記間隔を広く、矢印ロ方向へ回転すれば間隔を狭くすることになる。この動作に対応して右側の転車１６では左側の転車１６で示したと逆の使用をする。
また、左右のツバ部３において、それぞれの回動支点４の位相を異にして支持金５を固定すれば、縦列の株相互間の除草もできる。
【０００８】
このようにして成る株際除草具Ａは、図５に示すように、稲株２３の状態に合わせて両転車１６の間隔を調節し、人力による除草には図外のフロートを伴った機体に装着して使用し、動力による除草には耕耘機などの走行車体（図外）に取着する。
【０００９】
かくして、両転車１６は稲株２３を傷めることなく、株際の雑草をリング体２０と羽根板２１との協働により、すなわち、リング体２０は押進抵抗を小さくして羽根板２１との間に倒伏させた雑草を抱え込み、羽根板２１は株際の表土を浅く耕すとともに、抱え込んだ雑草を上方（空中）へ引き抜き除草する。なお、縦軸１７の下端に接合されたグリースニップル２４により、軸受体１８の軸受にグリースが供給される。
【００１０】
【発明の効果】
本発明の株際除草具によれば、両転車間の間隔の調節が、各転車を軸支する支持金の回転軌跡上でのボルトの緩め、締め込みでなされるから、該間隔の広狭位置決めが極めて簡易となり、そのため稲株の状態に合わせ易くなって稲株を傷めることなく、しかも、小径棒のリング体とそれに接合された羽根板のかき込みによって押進抵抗が軽いものとなる上、前記両者の協働により稲株を損わずに効率よく除草できる効果がある。
【図面の簡単な説明】
【図１】本発明の株際除草具Ａの正面図。
【図２】図１の左側転車１６のＱ矢視図。
【図３】支持枠１の平面図。
【図４】支持金５の斜視図。
【図５】本発明の株際除草具Ａの使用状態の説明図。
【符号の説明】
１  支持枠
２  支持棒
３  ツバ部
４  回動支点
５  支持金
６  水平部
７  ボルト孔
８  ネジ座
９  ボルト孔
１０  バネ座金
１１  ボルト
１２  脚
１３  折り曲げ線
１４  傾斜座部
１５  軸挿通孔
１６  転車
１７  縦軸
１８  軸受体
１９  屈曲アーム
２０  リング体
２１  羽根板
２２  ナット
２３  稲株
２４  グリースニップル
Ａ  株際除草具
【図１】
2004242529.tif 000003
【図２】
2004242529.tif 000004
【図３】
2004242529.tif 000005
【図４】
2004242529.tif 000006
【図５】
2004242529.tif 000007